(57)【要約】      （修正有）【課題】本発明は、クーラボックスの断熱性を向上させることができるクーラボックス用の断熱カバーを得る。【解決手段】クーラボックス１０用の断熱カバーは、可撓性を有する筒状の本体カバーＣ１１を備えている。本体カバーＣ１１は、クーラボックス１０の本体部１１の外周面に覆うことが可能な構成となっている。この本体カバーＣ１１は、本体部１１の外周面の少なくとも一部を覆うことが可能な少なくとも一つの断熱部を有している。【選択図】図２Ａ
2019043627.tif 000002
【特許請求の範囲】
【請求項１】
クーラボックスの本体部の外周面を覆うことが可能な可撓性を有する筒状の本体カバーを備えており、
前記本体カバーは、前記本体部の前記外周面の少なくとも一部を覆うことが可能な少なくとも一つの断熱部を有しているクーラボックス用の断熱カバー。
【請求項２】
請求項１記載のクーラボックス用の断熱カバーにおいて、
前記本体部は、矩形状の箱体であって、前記本体部の前記外周面は、第１面、第２面、第３面および第４面を有しており、
前記本体カバーは、第１方向において互いに対向配置された第１パネルおよび第２パネルと、
前記第１方向に直交する第２方向において互いに対向配置された第３パネルおよび第４パネルとを有しており、
前記第１パネル、前記第２パネル、前記第３パネルおよび前記第４パネルの少なくとも一つは、前記断熱部を有しており、
前記第１パネルは、前記本体部の前記第１面に密着可能になっており且つ前記第２方向の第１端およびその反対側の第２端を有しており、
前記第２パネルは、前記本体部の前記第２面に密着可能になっており且つ前記第２方向の第１端およびその反対側の第２端を有しており、
前記第３パネルは、前記本体部の前記第３面に密着可能になっており且つ前記第１方向の第１端およびその反対側の第２端を有しており、
前記第４パネルは、前記本体部の前記第４面に密着可能になっており且つ前記第１方向の第１端およびその反対側の第２端を有しており、
前記本体カバーは、前記第１、第２パネルの前記第１端と前記第３パネルの前記第１、第２端とを各々接続する一対の第１接続部と、
前記第１、第２パネルの前記第２端と前記第４パネルの前記第１、第２端とを各々接続する一対の第２接続部とをさらに備えているクーラボックス用の断熱カバー。
【請求項３】
請求項２記載のクーラボックス用の断熱カバーにおいて、
前記第１パネル、前記第２パネル、前記第３パネルおよび前記第４パネルは、前記断熱部を有しており、
前記第１パネル、前記第２パネル、前記第３パネルおよび前記第４パネルは、前記断熱部に重ね合わされた化粧パネルをさらに有しているクーラボックス用の断熱カバー。
【請求項４】
請求項１〜３の何れかに記載のクーラボックス用の断熱カバーにおいて、
前記本体カバーは、前記本体部の前記外周面に設けられた突起部に係合可能な係合部をさらに備えているクーラボックス用の断熱カバー。
【請求項５】
請求項４記載のクーラボックス用の断熱カバーにおいて、
前記係合部は、前記突起部が当該突起部の突出方向において挿脱可能な凹部と、
前記凹部の両上縁を繋いでおり且つ前記突起部上に引っ掛けられる連結部とを有しているクーラボックス用の断熱カバー。
【請求項６】
クーラボックスの蓋体を覆うことが可能な可撓性を有する蓋カバーを備えており、
前記蓋カバーは、前記蓋体の外面を覆うことが可能なパネルを有しており、このパネルが断熱部を有しているクーラボックス用の断熱カバー。
【請求項７】
請求項６記載のクーラボックス用の断熱カバーにおいて、
前記パネルは、前記断熱部に重ね合わされた化粧パネルをさらに有しており、
前記蓋カバーは、前記パネルに設けられており且つ前記蓋体に係合可能な係合部をさらに備えているクーラボックス用の断熱カバー。
【請求項８】
請求項７記載のクーラボックス用の断熱カバーにおいて、
前記蓋カバーの前記係合部は、前記蓋体の両端部に各々引っ掛け可能な一対の袋体または係止ベルトを有しているクーラボックス用の断熱カバー。
【請求項９】
請求項８記載のクーラボックス用の断熱カバーにおいて、
前記一対の袋体は、前記蓋体の両端部の突起部が突出可能な孔を有しているクーラボックス用の断熱カバー。
【発明の詳細な説明】
【技術分野】
【０００１】
本発明は、クーラボックス用の断熱カバーに関する。
【背景技術】
【０００２】
従来のクーラボックスは、周知の断熱容器として知られており、釣りやアウトドアなどに使用されている。
【先行技術文献】
【特許文献】
【０００３】
【特許文献１】特開２００５-３２９９６２号公報
【発明の概要】
【発明が解決しようとする課題】
【０００４】
従来のクーラボックスは、その断熱性を向上させることが求められている。
【０００５】
本発明は、クーラボックスの断熱性を向上させることができるクーラボックス用の断熱カバーを提供することにある。
【課題を解決するための手段】
【０００６】
上記課題を解決するために、本発明の一態様の断熱カバーは、クーラボックスの本体部の外周面を覆うことが可能な可撓性を有する筒状の本体カバーを備えている。本体カバーは、本体部の外周面の少なくとも一部を覆うことが可能な少なくとも一つの断熱部を有している。
【０００７】
このような態様の断熱カバーによる場合、クーラボックスの本体部の外周面の少なくとも一部が断熱部に覆われるため、クーラボックスの断熱性を向上させることができる。
【０００８】
クーラボックスの本体部は、矩形状の箱体であって、本体部の外周面は、第１面、第２面、第３面および第４面を有している場合、本体カバーは、第１方向において互いに対向配置された第１パネルおよび第２パネルと、第１方向に直交する第２方向において互いに対向配置された第３パネルおよび第４パネルとを有する構成とすることが可能である。第１パネル、第２パネル、第３パネルおよび第４パネルの少なくとも一つは、断熱部を有していると良い。第１パネルは、本体部の第１面に密着可能になっており且つ第２方向の第１端およびその反対側の第２端を有する構成とすることが可能である。第２パネルは、本体部の第２面に密着可能になっており且つ第２方向の第１端およびその反対側の第２端を有する構成とすることが可能である。第３パネルは、本体部の第３面に密着可能になっており且つ第１方向の第１端およびその反対側の第２端を有する構成とすることが可能である。第４パネルは、本体部の第４面に密着可能になっており且つ第１方向の第１端およびその反対側の第２端を有する構成とすることが可能である。
【０００９】
本体カバーは、第１、第２パネルの第１端と第３パネルの第１、第２端とを各々接続する一対の第１接続部と、第１、第２パネルの第２端と第４パネルの第１、第２端とを各々接続する一対の第２接続部とをさらに備えた構成とすることが可能である。
【００１０】
第１パネル、第２パネル、第３パネルおよび第４パネルが断熱部を有している場合、第１パネル、第２パネル、第３パネルおよび第４パネルは、断熱部に重ね合わされた化粧パネルをさらに有する構成とすることが可能である。このような態様の断熱カバーによる場合、断熱部とは別に化粧パネルを備えているので、断熱部の素材によって制約を受けることなく、化粧パネルに自由にデザインを施すことができる。
【００１１】
本体カバーは、本体部の外周面に設けられた突起部に係合可能な係合部をさらに備えた構成とすることが可能である。このような態様の断熱カバーによる場合、係合部によって本体カバーが本体部の突起部に係合されるため、本体カバーのずり落ちが防止される。
【００１２】
係合部は、突起部が当該突起部の突出方向において挿脱可能な凹部と、凹部の両上縁を繋いでおり且つ突起部上に引っ掛けられる連結部とを有する構成とすることが可能である。このような態様の断熱カバーによる場合、本体部の突起部を係合部の凹部に挿入し、連結部を突起部に引っ掛けるだけで、係合部を突起部に引っ掛けることができる。
【００１３】
上記した何れかの態様の断熱カバーは、クーラボックスの蓋体を覆うことが可能な可撓性を有する蓋カバーを備えた構成とすることが可能である。蓋カバーは、蓋体の外面を覆うことが可能なパネルを有する構成とすることが可能である。このパネルが断熱部を有する構成とすることが可能である。このような態様の断熱カバーによる場合、クーラボックスの蓋体の外面が蓋カバーの断熱部によって覆われるため、クーラボックスの断熱性を向上させることができる。
【００１４】
蓋カバーのパネルは、断熱部に重ね合わされた化粧パネルをさらに有する構成とすることが可能である。このような態様の断熱カバーによる場合、断熱部とは別に化粧パネルを備えているので、断熱部の素材によって制約を受けることなく、化粧パネルに自由にデザインを施すことができる。
【００１５】
蓋カバーは、パネルに設けられており且つ蓋体に係合可能な係合部をさらに備えた構成とすることが可能である。
【００１６】
係合部は、蓋体の両端部に各々引っ掛け可能な一対の袋体または係止ベルトを有する構成とすることが可能である。このような態様の断熱カバーによる場合、係合部によって蓋カバーを蓋体の両端部に容易に引っ掛け、取り付けることができる。
【００１７】
一対の袋体は、蓋体の両端部の突起部が突出可能な孔を有する構成とすることが可能である。このような態様の断熱カバーによる場合、蓋体の両端部の突起部が一対の袋体の孔から突出することによって、袋体が蓋体の両端部から不用意に外れるのを防止することができる。
【図面の簡単な説明】
【００１８】
【図１Ａ】本発明の実施例１に係るクーラボックス用の断熱カバーの正面図である。
【図１Ｂ】前記断熱カバーの背面図である。
【図１Ｃ】前記断熱カバーの平面図である。
【図１Ｄ】前記断熱カバーの底面図である。
【図１Ｅ】前記断熱カバーの右側面図である。
【図１Ｆ】前記断熱カバーの左側面図である。
【図２Ａ】前記断熱カバーをクーラボックスに装着した状態を示す斜視図であって、蓋が閉じた状態の図である。
【図２Ｂ】前記断熱カバーをクーラボックスに装着した状態を示す斜視図であって、蓋が開いた状態の図である。
【図２Ｃ】前記断熱カバーの係合部がクーラボックスの突起部に係合された状態を示す斜視図である。
【図３Ａ】前記実施例１に係るクーラボックス用の断熱カバーの第１設計変形例を示す概略的正面図である。
【図３Ｂ】前記実施例１に係るクーラボックス用の断熱カバーの第２設計変形例を示す概略的正面図である。
【図４Ａ】本発明の実施例２に係るクーラボックス用の断熱カバーの正面図である。
【図４Ｂ】前記断熱カバーの背面図である。
【図４Ｃ】前記断熱カバーの平面図である。
【図４Ｄ】前記断熱カバーの底面図である。
【図４Ｅ】前記断熱カバーの右側面図である。
【図４Ｆ】前記断熱カバーの左側面図である。
【図５Ａ】前記実施例２に係るクーラボックス用の断熱カバーの第１設計変形例を示す概略的正面図である。
【図５Ｂ】前記実施例２に係るクーラボックス用の断熱カバーの第２設計変形例を示す概略的正面図である。
【図６Ａ】本発明の実施例３に係るクーラボックス用の断熱カバーの正面図である。
【図６Ｂ】前記実施例３に係るクーラボックス用の断熱カバーの第１設計変形例を示す概略的正面図である。
【図６Ｃ】前記実施例３に係るクーラボックス用の断熱カバーの第２設計変形例を示す概略的正面図である。
【発明を実施するための形態】
【００１９】
以下、本発明の種々の実施例に係るクーラボックス用の断熱カバーＣについて、図１Ａ〜図６Ｃを参照しつつ説明する。
【００２０】
クーラボックス１０は、本体部１１と、蓋体１２とを有している。本体部１１は、矩形状の断熱容器であって、Ｚ方向に開口している。本体部１１は、外面（第１面）を有する正面部１１ａと、外面（第２面）を有する背面部１１ｂと、外面（第３面）を有する側面部１１ｃと、外面（第４面）を有する側面部１１ｄとを有している。本体部１１の外周面は、正面部１１ａ、背面部１１ｂ、側面部１１ｃおよび側面部１１ｄの外面（第１〜第４面）を有している。蓋体１２は、本体部１１の背面部１１ｂにヒンジ結合され、本体部１１の開口を開閉可能となっている。蓋体１２は、外面（天面）を有している。
【００２１】
断熱カバーＣは本体カバーＣ１１を備えている。本体カバーＣ１１は、クーラボックス１０の本体部の１１の外周面を覆うことが可能な可撓性を有する筒体である。本体カバーＣ１１は、第１パネル１００ａと、第２パネル１００ｂと、第３パネル１００ｃと、第４パネル１００ｄとを備えている。
【００２２】
第１パネル１００ａおよび第２パネル１００ｂはＹ−Ｙ’方向において互いに対向するように配置されている。第１パネル１００ａおよび第２パネル１００ｂの各々は、Ｘ方向側の第１端、Ｘ’方向側（第１端の反対側）の第２端を有している。
【００２３】
第３パネル１００ｃおよび第４パネル１００ｄはＸ−Ｘ’方向において互いに対向するように配置されている。第３パネル１００ｃおよび第４パネル１００ｄの各々は、Ｙ方向側の第１端、Ｙ’方向側（第１端の反対側）の第２端を有している。
【００２４】
第１パネル１００ａは可撓性および撥水性を有する断熱部１１０ａを有している。第２パネル１００ｂは可撓性および撥水性を有する断熱部１１０ｂを有している。第３パネル１００ｃは可撓性および撥水性を有する断熱部１１０ｃを有している。第４パネル１００ｄは可撓性および撥水性を有する断熱部１１０ｄを有している。断熱部１１０ａ〜１１０ｄは、ＥＶＡ（エチレン・ビニル・アセテート）、ロックウール、グラスウール、ゴム発砲断熱材またはポリエチレンフォームなどで構成されている。
【００２５】
第１パネル１００ａは化粧パネル１２０ａをさらに有していても良い。化粧パネル１２０ａは、第１パネル１００ａの外面をなすように断熱部１１０ａに重ね合わされている。第２パネル１００ｂは化粧パネル１２０ｂをさらに有していても良い。化粧パネル１２０ｂは、第２パネル１００ｂの外面をなすように断熱部１１０ｂに重ね合わされている。第３パネル１００ｃは化粧パネル１２０ｃをさらに有していても良い。化粧パネル１２０ｃは第３パネル１００ｃの外面をなすように断熱部１１０ｃに重ね合わされている。第４パネル１００ｄは化粧パネル１２０ｄをさらに有していても良い。化粧パネル１２０ｄは第４パネル１００ｄの外面をなすように断熱部１１０ｄに重ね合わされている。化粧パネル１２０ａ〜１２０ｄは、ＰＶＣ（Poly Vinyl Cloride）などで構成されている。なお、化粧パネルは省略可能である。
【００２６】
第１パネル１００ａおよび第２パネル１００ｂは１）〜５）の構成を少なくとも一つを有していても良い。
１）クーラボックス１０の本体部１１に、一対の車輪１３が設けられている場合、第１パネル１００ａおよび第２パネル１００ｂの下端部のＸ方向側の部分は、クーラボックス１０の本体部１１の車輪１３との緩衝を避けるために切り欠かされている（図１Ａおよび図１Ｂ参照）。
２）クーラボックス１０の蓋体１２が本体部１１の開口を塞いだ状態を維持するための留め具が蓋体１２および本体部１１の中央部に設けられている場合、第１パネル１００ａおよび第２パネル１００ｂの上端部（Ｚ方向側の端部）の中央部には、留め具との緩衝を避けるために凹状に切り欠かれている。
３）クーラボックス１０の蓋体１２が本体部１１の開口を塞いだ状態を維持するための一対の留め具が蓋体１２および本体部１１のＸ−Ｘ’方向の両端部に設けられている場合、第１パネル１００ａおよび第２パネル１００ｂの上端部（Ｚ方向側の端部）のＸ−Ｘ’方向の両端部には、一対の留め具との緩衝を避けるために凹状に切り欠かれている。
４）クーラボックス１０の本体部１１に車輪１３がない場合、第１パネル１００ａおよび第２パネル１００ｂは、切り欠かれておらず、略矩形状である（図４Ａ〜図４Ｆ参照）。
５）第１パネル１００ａおよび第２パネル１００ｂの下端部（Ｚ’方向側の端部）の中央部が凹状に切り欠かれている（図６Ａ参照）。
１）〜５）の構成は組み合わせ可能である。１）および２）の組み合わせが、図３Ａに示されており、１）および３）の組み合わせが、図３Ｂに示されており、４）および２）の組み合わせが、図５Ａに示されており、４）および３）の組み合わせが、図５Ｂに示されており、５）および２）の組み合わせが、図６Ｂに示されており、５）および３）の組み合わせが、図６Ｃに示されている。何れの場合も第１パネル１００ａおよび第２パネル１００ｂは対称形状とすることが可能であるが、これに限定されるものではない。
【００２７】
上記した何れかの態様の第１、第２、第３、第４パネル１００ａ、１００ｂ、１００ｃ、１００ｄは、体部１１の正面部１１ａ、背面部１１ｂ、側面部１１ｃおよび側面部１１ｄの外面の形状に対応するように熱厚成型されている。このため、第１パネル１００ａがクーラボックス１０の正面部１１ａの外面に密着可能になっており、第２パネル１００ｂがクーラボックス１０の背面部１１ｂの外面に密着可能になっており、第３パネル１００ｃがクーラボックス１０の側面部１１ｃの外面に密着可能になっており、第４パネル１００ｄがクーラボックス１０の側面部１１ｄの外面に密着可能になっている。
【００２８】
クーラボックス１０の本体部１１は、側面部１１ｃからＸ方向に突出した突起部１１ｃ１を有している場合、第３パネル１００ｃは、突起部１１ｃ１に係合可能な係合部１３０ｃを有していても良い。係合部１３０ｃは、例えば、突起部１１ｃ１が挿入可能な凹部１３１ｃと、この凹部１３１ｃの両上縁を繋いでおり且つ突起部１１ｃ１に上側（Ｚ方向側）から引っ掛けられるゴムベルト１３２ｃ（連結部）とを有する構成とすることが可能である。または、係合部１３０ｃは、第３パネル１００ｃの上端部に両端が接続されたゴムベルト（引っかけ部）であって、突起部１１ｃ１に上側（Ｚ方向側）から引っ掛けられるようになっていても良い。引っかけ部はゴムベルトに限定されず、突起部１１ｃ１に引っかけることができるものであれば良い。
【００２９】
クーラボックス１０の本体部１１は、側面部１１ｄからＸ’方向に突出した突起部１１ｄ１を有している場合、第４パネル１００ｄは、突起部１１ｄ１に係合可能な係合部１３０ｄを有していても良い。係合部１３０ｄは係合部１３０ｃと同様の構成とすることが可能である。図１Ｆ中の１３１ｄは、係合部１３０ｄの凹部であり、１３２ｄはゴムベルト（連結部）である。なお、係合部１３０ｃおよび係合部１３０ｄは省略可能である。係合部１３０ｃおよび係合部１３０ｄの代りに、第１、第２、第３、第４パネル１００ａ、１００ｂ、１００ｃ、１００ｄに面ファスナが設けられており、この面ファスナと本体部１１の面ファスナとが貼り合わされる構成とすることも可能である。
【００３０】
第３パネル１００ｃは、クーラボックス１０の本体部１１の側面部１１ｃの下部に設けられた排水栓を露出させるための開口１４０ｃが設けられていても良い。なお、開口１４０ｃは省略可能である。
【００３１】
本体カバーＣ１１は、一対の接続部２００ａと、一対の接続部２００ｂとをさらに備えている。一対の接続部２００ａのうちの一方は、上記した何れかの態様の第１パネル１００ａの第１端と上記した何れかの態様の第３パネル１００ｃの第１端とを接続しており、他方は、上記した何れかの態様の第２パネル１００ｂの第１端と上記した何れかの態様の第３パネル１００ｃの第２端とを接続している。一対の接続部２００ｂのうちの一方は、上記した何れかの態様の第１パネル１００ａの第２端と上記した何れかの態様の第４パネル１００ｄの第１端とを接続しており、他方は、上記した何れかの態様の第２パネル１００ｂの第２端と上記した何れかの態様の第４パネル１００ｄの第２端とを接続している。その接続方法は、縫い付け、溶着または接着などの周知の接続方法を用いることができる。
【００３２】
本体カバーＣ１１は縁取り部２００ｃをさらに備えている。縁取り部２００ｃは、上記した何れかの態様の第１パネル１００ａ、第２パネル１００ｂ、第３パネル１００ｃおよび第４パネル１００ｄの上端に上記した接続方法で接続されている。縁取り部２００ｃがゴムベルトからなる場合、係合部１３０ｃのゴムベルト１３２ｃおよび係合部１３０ｄのゴムベルト１３２ｄを兼ねていても良い。なお、縁取り部２００ｃは省略可能である。
【００３３】
本体カバーＣ１１は、底ベルト３００をさらに備えていても良い。底ベルト３００は、第３パネル１００ｃの下端部からおよび第４パネル１００ｄの下端部まで伸びている。この底ベルト３００がクーラボックス１０の本体部１１の底に当接可能である。なお、底ベルト３００は、省略可能である。
【００３４】
本体カバーＣ１１が底ベルト３００を備えている場合、本体カバーＣ１１は一対の縁取り部２００ｄをさらに備えていても良い。この場合、縁取り部２００ｄのうちの一方は、上記した何れかの態様の第１パネル１００ａ、第３パネル１００ｃおよび第４パネル１００ｄの上端と底ベルト３００の一端とに上記した接続方法で接続されている。縁取り部２００ｄのうちの他方は、上記した何れかの態様の第２パネル１００ｂ、第３パネル１００ｃおよび第４パネル１００ｄの上端と底ベルト３００の一端とに上記した接続方法で接続されている。
【００３５】
底ベルト３００が省略される場合、本体カバーＣ１１は縁取り部２００ｄをさらに備えていても良い。縁取り部２００ｄは、上記した何れかの態様の第１パネル１００ａ、第２パネル１００ｂ、第３パネル１００ｃおよび第４パネル１００ｄの下端に上記した接続方法で接続されている。なお、縁取り部２００ｄは省略可能である。
【００３６】
断熱カバーＣ１は、蓋カバーＣ１２をさらに備えていても良い。蓋カバーＣ１２は、パネル４００を備えている。パネル４００は可撓性および撥水性を有する断熱部４１０を有している。断熱部４１０は、上記した断熱部１１０ａ〜１１０ｄと同様の素材で構成可能である。
【００３７】
パネル４００は化粧パネル４２０をさらに有していても良い。化粧パネル４２０は、パネル４００の外面をなすように断熱部４１０に重ね合わされている。化粧パネル４２０は、上記した化粧パネル１２０ａ〜１２０ｄと同様の素材で構成可能である。化粧パネル４２０は、省略可能である。
【００３８】
上記した何れかの態様のパネル４００は、クーラボックス１０の蓋体１２の外面の形状に対応するように熱厚成型されている。このため、パネル４００はクーラボックス１０の蓋体１２の外面に密着可能になっている。
【００３９】
蓋カバーＣ１２は、係合部５００をさらに備えている。係合部５００は、パネル４００に設けられており且つ蓋体１２に係合可能な構成となっている。例えば、係合部５００は、伸縮可能な布体であって、上記した何れかの態様のパネル４００の周縁部に上記した接続方法で接続された構成とすることが可能である。この場合、係合部５００は、蓋体１２の両端部に引っ掛け可能な一対の袋体５１０を有していると良い。具体的には、蓋体１２の両端部のうちのＸ方向の端部に一対の袋体５１０の一方が、Ｘ方向側から引っ掛けられており、前記両端部のうちのＸ’方向の端部に一対の袋体５１０の他方が、Ｘ’方向側から引っ掛けられている。蓋体１２が、蓋体１２のＸ方向の端部からＸ方向に突出した突起部１２ａと、蓋体１２のＸ’方向の端部からＸ’方向に突出した突起部１２ａとを有している場合、一対の袋体５１０には、突起部１２ａが突出可能な貫通孔５１１が各々設けられていると良い。
【００４０】
または、係合部５００は、パネル４００のＹ方向の端部からＹ’方向の端部に掛け渡された一対のゴムベルトであっても良い。この場合、係合部５００の一対のゴムベルトのうちの一方が蓋体１２のＸ方向の端部Ｘ方向側から引っ掛けられ、他方が蓋体１２のＸ’方向の端部にＸ’方向側から引っ掛けられている。
【００４１】
または、係合部５００は、パネル４００に設けられた面ファスナであっても良い。この場合、係合部５００は、蓋体１２に設けられた面ファスナに貼り合わされる。
【００４２】
以下、上記した断熱カバーＣ１の本体カバーＣ１１および蓋カバーＣ１２をクーラボックス１０に取り付ける方法について詳しく説明する。本体カバーＣ１１を用意する。本体カバーＣ１１内にクーラボックス１０の本体部１１を収容する。すると、本体カバーＣ１１の第１パネル１００ａ、第２パネル１００ｂ、第３パネル１００ｃおよび第４パネル１００ｄが本体部１１の正面部１１ａ、背面部１１ｂ、側面部１１ｃおよび側面部１１ｄの外面に各々密着する。このようにして本体カバーＣ１１が本体部１１に取り付けられる。
【００４３】
本体カバーＣ１１が底ベルト３００を有している場合、本体カバーＣ１１が本体部１１に取り付けられるときに、底ベルト３００が本体部１１の底面に接触する。
【００４４】
本体カバーＣ１１が係合部１３０ｃおよび係合部１３０ｄを有している場合、係合部１３０ｃを本体部１１の突起部１１ｃ１に引っ掛け、係合部１３０ｄを本体部１１の突起部１１ｄ１に引っ掛ける。
【００４５】
以下、上記した断熱カバーＣ１の蓋カバーＣ１２をクーラボックス１０に取り付ける方法について詳しく説明する。蓋カバーＣ１２を用意する。蓋カバーＣ１２の係合部５００の袋体５１０またはゴムベルトを蓋体１２の両端部に引っ掛ける、または係合部５００の面ファスナを蓋体１２の面ファスナに貼り合わせる。すると、蓋体１２のパネル４００が蓋体１２の外面に密着する。係合部５００の袋体５１０に貫通孔５１１が設けられている場合、袋体５１０を蓋体１２の両端部に引っ掛けるときに、貫通孔５１１から蓋体１２の突起部１２ａが各々突出する。このようにして蓋カバーＣ１２が蓋体１２に取り付けられる。
【００４６】
以上のような断熱カバーＣ１は、以下の技術的特徴および効果を奏する。
第１技術的特徴および効果）
クーラボックス１０の断熱性を向上させることができる。なぜなら、本体カバーＣ１１の第１、第２、第３、第４パネル１００ａ、１００ｂ、１００ｃ、１００ｄの断熱部１１０ａ、１１０ｂ、１１０ｃ、１１０ｄによって本体部１１の正面部１１ａ、背面部１１ｂ、側面部１１ｃおよび側面部１１ｄの外面が各々覆われるからである。また、断熱カバーＣ１が蓋カバーＣ１２を備えている場合、蓋カバーＣ１２の断熱部４１０によって、クーラボックス１０の蓋体１２の外面が覆われる。
【００４７】
第２技術的特徴および効果）
本体カバーＣ１１の第１、第２、第３、第４パネル１００ａ、１００ｂ、１００ｃ、１００ｄが、断熱部１１０ａ、１１０ｂ、１１０ｃ、１１０ｄとは別に化粧パネル１２０ａ、１２０ｂ、１２０ｃ、１２０ｄを有している場合、断熱部１１０ａ、１１０ｂ、１１０ｃ、１１０ｄの素材の制約を受けることなく、化粧パネル１２０ａ、１２０ｂ、１２０ｃ、１２０ｄに自由にデザインを施すことができる。断熱カバーＣ１が蓋カバーＣ１２を備えており、蓋カバーＣ１２のパネル４００が化粧パネル４２０を有している場合も、パネル４００の断熱部４１０の素材の制約を受けることなく、化粧パネル４２０に自由にデザインを施すことができる。
【００４８】
第３技術的特徴および効果）
第３、第４パネル１００ｃ、１００ｄが係合部１３０ｃ、１３０ｄを有している場合、係合部１３０ｃが本体部１１の突起部１１ｃ１に引っ掛けられ、係合部１３０ｄが本体部１１の突起部１１ｄ１に引っ掛けられるので、本体カバーＣ１１のずり落ちが防止される。特に、係合部１３０ｃ、１３０ｄが本体部１１の突起部１１ｃ１、１１ｄ１に引っ掛けられるゴムベルトを有している場合、係合部１３０ｃ、１３０ｄを本体部１１の突起部１１ｃ１、１１ｄ１に容易に引っ掛けることができる。
【００４９】
第４技術的特徴および効果）
断熱カバーＣ１が蓋カバーＣ１２を備えており、蓋カバーＣ１２が係合部５００を有している場合、係合部５００の袋体５１０またはゴムベルトをクーラボックス１０の蓋体１２の両端部に引っ掛けるだけで、簡単に蓋カバーＣ１２を蓋体１２に取り付けることができる。特に、袋体５１０に貫通孔５１１が設けられている場合、袋体５１０を蓋体１２の両端部に引っ掛け、袋体５１０の貫通孔５１１に蓋体１２の突起部１２ａを挿入させるだけで、蓋カバーＣ１２が不用意に蓋体１２から外れることを防止することができる。
【００５０】
なお、上記したクーラボックス用の断熱カバーは、上記実施例に限定されるものではなく、特許請求の範囲の記載範囲において任意に設計変更することが可能である。以下、詳しく述べる。
【００５１】
本発明の断熱カバーは、本体カバーおよび蓋カバーの少なくとも一方を備えていれば良い。本体カバーは、クーラボックスの本体部の外周面を覆うことが可能な可撓性を有する筒であって、本体部の外周面の少なくとも一部を覆うことが可能な少なくとも一つの断熱部を有する限り任意に設計変更することが可能である。本発明の断熱カバーの第１パネル、第２パネル、第３パネルおよび第４パネルの少なくとも一つが、断熱部を有していると良い。本発明の蓋カバーは、クーラボックスの蓋体を覆うことが可能な可撓性を有するカバーであって、蓋体の外面を覆うことが可能なパネルを有し、このパネルが断熱部を有する限り任意に設計変更することが可能である。
【００５２】
なお、上記実施例の各態様および設計変形例におけるクーラボックス用の断熱カバーの各構成要素を構成する素材、形状、寸法、数および配置等はその一例を説明したものであって、同様の機能を実現し得る限り任意に設計変更することが可能である。上記した実施例の各態様および設計変更例は、互いに矛盾しない限り、相互に組み合わせることが可能である。なお、本発明の第１方向は、本発明のクーラボックス用の断熱カバーの第１、第２断熱部が互いに対向する方向である限り任意に設定可能である。本発明の第２方向は、発明のクーラボックス用の断熱カバーの第３、第４断熱部が互いに対向する方向である限り任意に設定可能である。
【符号の説明】
【００５３】
１０：クーラボックス
１１：本体部
１１ａ：正面部
１１ｂ：背面部
１１ｃ：側面部
１１ｃ１：突起部
１１ｄ：側面部
１１ｄ１：突起部
１２：蓋体
１３：車輪
Ｃ：断熱カバー
Ｃ１１：本体カバー
１００ａ：第１パネル
１１０ａ：断熱部
１２０ａ：化粧パネル
１００ｂ：第２パネル
１１０ｂ：断熱部
１２０ｂ：化粧パネル
１００ｃ：第３パネル
１１０ｃ：断熱部
１２０ｃ：化粧パネル
１３０ｃ：係合部
１３１ｃ：凹部
１３２ｃ：ゴムベルト
１４０ｃ：開口
１００ｄ：第４パネル
１１０ｄ：断熱部
１２０ｄ：化粧パネル
１３０ｄ：係合部
２００ａ：接続部
２００ｂ：接続部
２００ｃ：縁取り部
２００ｄ：縁取り部
３００：底ベルト
Ｃ１２：蓋カバー
４００：パネル
４１０：断熱部
４２０：化粧パネル
５００：係合部
５１０：袋体
５１１：貫通孔
【図１Ａ】
2019043627.tif 000003
【図１Ｂ】
2019043627.tif 000004
【図１Ｃ】
2019043627.tif 000005
【図１Ｄ】
2019043627.tif 000006
【図１Ｅ】
2019043627.tif 000007
【図１Ｆ】
2019043627.tif 000008
【図２Ａ】
2019043627.tif 000009
【図２Ｂ】
2019043627.tif 000010
【図２Ｃ】
2019043627.tif 000011
【図３Ａ】
2019043627.tif 000012
【図３Ｂ】
2019043627.tif 000013
【図４Ａ】
2019043627.tif 000014
【図４Ｂ】
2019043627.tif 000015
【図４Ｃ】
2019043627.tif 000016
【図４Ｄ】
2019043627.tif 000017
【図４Ｅ】
2019043627.tif 000018
【図４Ｆ】
2019043627.tif 000019
【図５Ａ】
2019043627.tif 000020
【図５Ｂ】
2019043627.tif 000021
【図６Ａ】
2019043627.tif 000022
【図６Ｂ】
2019043627.tif 000023
【図６Ｃ】
2019043627.tif 000024